(57)【要約】【課題】判別した光記録媒体の種類に応じて、重畳する高周波信号の振幅を切り換える。【解決手段】レーザ光を光ディスク２へ照射することにより情報信号を再生する再生装置１に搭載される半導体レーザ７１を駆動する場合において、光ディスク２の種類を判別し、判別した光ディスク２の種類に応じて、重畳する高周波信号の振幅を切り換え、半導体レーザ７１を駆動する駆動信号に対して上記高周波信号を重畳する。また、この重畳する高周波信号の振幅切り換え、及び駆動信号に対する高周波信号の重畳を１つのＬＤＤ９内で実行する。【選択図】  図１
2004355723.tif 000002
【特許請求の範囲】
【請求項１】
レーザ光を光記録媒体へ照射することにより情報信号を再生する再生装置に搭載される半導体レーザを駆動するための半導体レーザ駆動装置において、
上記光記録媒体の種類を判別する判別手段と、
上記半導体レーザを駆動する駆動信号に対して高周波信号を重畳する信号重畳手段を備え、
上記信号重畳手段は、上記判別手段より判別された上記光記録媒体の種類に応じて、上記重畳する高周波信号の振幅を切り換えることを特徴とする半導体レーザ駆動装置。
【請求項２】
上記判別手段は、上記光記録媒体が、ＤＶＤ−ＲＯＭ、ＤＶＤ±Ｒ、ＤＶＤ±ＲＷの何れに該当するか判別し、
上記信号重畳手段は、
上記判別手段により判別された上記光記録媒体がＤＶＤ±ＲＷである場合には、上記重畳する高周波信号の振幅につき、上記情報信号を消去するための高周波信号の振幅以下となるように制御し、
上記判別手段により判別された上記光記録媒体がＤＶＤ−ＲＯＭ又はＤＶＤ±Ｒである場合には、上記重畳する高周波信号の振幅につき、上記光記録媒体がＤＶＤ±ＲＷである場合より高くなるように制御することを特徴とする請求項１記載の半導体レーザ駆動装置。
【請求項３】
上記信号重畳手段は、上記半導体レーザを駆動するレーザダイオードドライバであることを特徴とする請求項１記載の半導体レーザ駆動装置。
【請求項４】
レーザ光を光記録媒体へ照射することにより情報信号を再生する再生装置に搭載される半導体レーザを駆動するための半導体レーザ駆動方法において、
上記光記録媒体の種類を判別する判別ステップと、
上記半導体レーザを駆動する駆動信号に対して高周波信号を重畳する信号重畳ステップとを有し、
上記信号重畳ステップでは、上記判別ステップにおいて判別された上記光記録媒体の種類に応じて、上記重畳する高周波信号の振幅を切り換えることを特徴とする半導体レーザ駆動方法。
【請求項５】
上記判別ステップでは、上記光記録媒体が、ＤＶＤ−ＲＯＭ、ＤＶＤ±Ｒ、ＤＶＤ±ＲＷの何れに該当するか判別し、
上記信号重畳ステップでは、
上記判別手段により判別された上記光記録媒体がＤＶＤ±ＲＷである場合には、上記重畳する高周波信号の振幅につき、上記情報信号を消去するための高周波信号の振幅以下となるように制御し、
上記判別手段により判別された上記光記録媒体がＤＶＤ−ＲＯＭ又はＤＶＤ±Ｒである場合には、上記重畳する高周波信号の振幅につき、上記光記録媒体がＤＶＤ±ＲＷである場合より高くなるように制御することを特徴とする請求項４記載の半導体レーザ駆動方法。
【請求項６】
上記信号重畳ステップでは、上記半導体レーザを駆動するレーザダイオードドライバを介して、上記重畳する高周波信号の振幅を切り換えることを特徴とする請求項４記載の半導体レーザ駆動方法。
【請求項７】
レーザ光を光記録媒体へ照射することにより情報信号を再生する再生装置において、
上記レーザ光を出射する半導体レーザと、
上記光記録媒体の種類を判別する判別手段と、
上記半導体レーザを駆動する駆動信号に対して高周波信号を重畳する信号重畳手段を備え、
上記信号重畳手段は、上記判別手段より判別された上記光記録媒体の種類に応じて、上記重畳する高周波信号の振幅を切り換えることを特徴とする再生装置。
【請求項８】
上記判別手段は、上記光記録媒体が、ＤＶＤ−ＲＯＭ、ＤＶＤ±Ｒ、ＤＶＤ±ＲＷの何れに該当するか判別し、
上記信号重畳手段は、上記判別手段により判別された上記光記録媒体がＤＶＤ±ＲＷである場合には、上記重畳する高周波信号の振幅につき、上記情報信号を消去するための高周波信号の振幅以下となるように制御し、
上記判別手段により判別された上記光記録媒体がＤＶＤ−ＲＯＭ又はＤＶＤ±Ｒである場合には、上記重畳する高周波信号の振幅につき、上記光記録媒体がＤＶＤ±ＲＷである場合より高くなるように制御することを特徴とする請求項７記載の再生装置。
【請求項９】
上記信号重畳手段は、上記半導体レーザを駆動するレーザダイオードドライバであることを特徴とする請求項７記載の再生装置。
【請求項１０】
上記半導体レーザから出射されたレーザ光と、上記光記録媒体からの戻り光を分離するための無偏光ビームスプリッタを更に備えることを特徴とする請求項７記載の再生装置。
【請求項１１】
半導体レーザから出射されたレーザ光を光記録媒体へ照射することにより情報信号を再生する再生方法において、
上記光記録媒体の種類を判別する判別ステップと、
上記半導体レーザを駆動する駆動信号に対して高周波信号を重畳する信号重畳ステップとを有し、
上記信号重畳ステップでは、上記判別ステップにおいて判別された上記光記録媒体の種類に応じて、上記重畳する高周波信号の振幅を切り換えることを特徴とする再生方法。
【請求項１２】
上記判別ステップでは、上記光記録媒体が、ＤＶＤ−ＲＯＭ、ＤＶＤ±Ｒ、ＤＶＤ±ＲＷの何れに該当するか判別し、
上記信号重畳ステップでは、
上記判別ステップにより判別された上記光記録媒体がＤＶＤ±ＲＷである場合には、上記重畳する高周波信号の振幅につき、上記情報信号を消去するための高周波信号の振幅以下となるように制御し、
上記判別ステップにより判別された上記光記録媒体がＤＶＤ−ＲＯＭ又はＤＶＤ±Ｒである場合には、上記重畳する高周波信号の振幅につき、上記光記録媒体がＤＶＤ±ＲＷである場合より高くなるように制御することを特徴とする請求項１１記載の再生方法。
【請求項１３】
上記信号重畳ステップでは、上記半導体レーザを駆動するレーザダイオードドライバを介して、上記重畳する高周波信号の振幅を切り換えることを特徴とする請求項１１記載の再生方法。
【請求項１４】
上記半導体レーザから出射されたレーザ光と、上記光記録媒体からの戻り光を、無偏光ビームスプリッタにより分離するレーザ光分離ステップを更に有することを特徴とする請求項１１記載の再生方法。
【発明の詳細な説明】
【０００１】
【発明の属する技術分野】
本発明は、レーザ光を光記録媒体へ照射することにより情報信号を再生する再生装置に搭載される半導体レーザを駆動するための半導体レーザ駆動装置及び方法、並びにレーザ光を光記録媒体へ照射することにより情報信号を再生する再生装置及び方法に関する。
【０００２】
【従来の技術】
近年において、外径寸法をＣＤと同様としつつ記録容量を飛躍的に増大させ、現行テレビジョン放送並みの画質で映画１本分のデータを収めることを可能にしたＤＶＤ（Ｄｉｇｉｔａｌ  Ｖｅｒｓａｔｉｌｅ  Ｄｉｓｃ／Ｄｉｇｉｔａｌ  Ｖｉｄｅｏ  Ｄｉｓｃ）が開発され、実用化されるに至っている。このＤＶＤは、記録密度を高めて記録容量の増大化を実現するために、ＣＤ等に使用するレーザよりも波長の短いレーザを用いて情報の記録再生が行われる。
【０００３】
特にこのＤＶＤにおいては、読み出し専用のＤＶＤ−ＲＯＭ（ＤＶＤ−  Ｒｅａｄ  Ｏｎｌｙ  Ｍｅｍｏｒｙ）やデータの追記が可能なＤＶＤ±Ｒ（ＤＶＤ−Ｒｅｃｏｒｄａｂｌｅ）に加え、記録したデータの書き換えが可能なＤＶＤ±ＲＷ（ＤＶＤ−Ｒｅｗｒｉｔａｂｌｅ）等が提案されている。
【０００４】
このような各ＤＶＤに記録された情報を再生する場合において、従来では光源から出射されるレーザ光のノイズ自体が小さかったため、光記録媒体からの戻り光に基づく戻り光ノイズが生じても殆ど問題となることはなかった。
【０００５】
しかしながら、近年において特に記録再生装置側において高倍速記録等の多岐にわたる機能が追加された結果、光源から出射するレーザ光の強度が高くなり、ひいては当該出射されるレーザ光自体のノイズが大きくなるという傾向がある。
従って、戻り光ノイズをある程度低減しなければ、再生精度そのものに支障をきたすという問題点も生じる。
【０００６】
このような戻り光ノイズを低減するために、半導体レーザから出射するレーザ光に高周波成分を重畳するいわゆる高周波重畳法が提案されている。
【０００７】
特に近年において、かかる高周波重畳法を利用し、記録、再生の各動作モードに応じて重畳する高周波成分における振幅等を切り換えることにより、レーザパワーの出力の最適化を図ることができる半導体レーザ駆動装置が提案されている（例えば、特許文献１参照。）。
【０００８】
この半導体レーザ駆動装置では、レーザダイオードに高周波電流を重畳する高周波重畳回路と、光ディスク装置における動作モードに応じて高周波電流の重畳周波数及び振幅を可変にする重畳周波数可変回路とを備え、光ディスク装置における各動作モードに応じて、各レーザ出力パワーにおけるレーザ光の照射、及び反射光の検出の最適化を図ることができる。
【０００９】
また、かかる高周波重畳法を利用し、互いに記録密度の異なる複数種の光ディスクを記録、再生処理することができる記録再生装置が提案されている（例えば、特許文献２参照。）。
【００１０】
この記録再生装置では、記録密度の低い光学的情報記録媒体を記録または再生するときには、記録密度の高い光学的情報記録媒体を記録または再生するときよりも、高周波重畳電流による変調度を大きくする。これにより、特別の光学素子または切り換え機構を追加することなく、複数の異なる記録密度の光ディスクに対して情報を安定に記録または再生することができる。また、この記録再生装置では、情報の記録及び消去のそれぞれに対応したレーザ光の強度を変調する際に、情報の消去時における高周波重畳電流による変調度を、情報の記録時における変調度よりも大きくする。これにより、特別の光学素子または切り換え機構を使用することなく、記録していた記録マークを完全に消去し、再生情報の良好なエラーレートを得ることができる。
【００１１】
【特許文献１】
特開２０００−１４９３０２号公報
【特許文献２】
特開平１０−２２８６４５号公報
【００１２】
【発明が解決しようとする課題】
ところで、ＤＶＤ±ＲＷは、図３に示すように、光記録媒体の情報記録面に対して照射するレーザ光の強度を切り換えることにより、その光記録媒体に情報を記録し、或いは当該記録媒体に記録されている情報を消去し、再生することができる。特にＤＶＤ±ＲＷ再生時において、戻り光ノイズを抑えるために重畳した高周波信号の振幅があまりに大きいと、情報記録面に照射されるレーザ光の強度が、消去時に要求されるレーザ光の強度を超えてしまう。即ち、光記録媒体から情報を再生すると同時に当該情報が消去されてしまう。このため、ＤＶＤ±ＲＷ再生時において重畳する高周波信号の振幅は、ある程度抑え込む必要がある。
【００１３】
一方、ＤＶＤ−ＲＯＭやＤＶＤ±Ｒは、ＤＶＤ±ＲＷと比較して一般に高反射率であり、照射されるレーザ光の戻り光が大きい。このため、かかるＤＶＤ−ＲＯＭやＤＶＤ±Ｒにおいて、レーザ光に重畳する高周波信号の振幅を高くすることにより、戻り光ノイズを低減させる必要がある。
【００１４】
しかしながら、従来では、再生する光記録媒体の種類がいかなるものであっても、ＤＶＤ±ＲＷ再生時における情報の消去を防止すべく、重畳する高周波信号の振幅は一律に低く抑え込まれていた。このため、ＤＶＤ−ＲＯＭやＤＶＤ再生時において戻り光ノイズを効率的に抑えることができないという問題点があった。
【００１５】
そこで、本発明は、上述した問題点に鑑みて案出されたものであり、その目的とするところは、判別した光記録媒体の種類に応じて、重畳する高周波信号の振幅を切り換えることができる半導体レーザ駆動装置及び方法、再生装置及び方法を提供することにある。
【００１６】
【課題を解決するための手段】
本発明者は、上述した問題点を解決するために、レーザ光を光記録媒体へ照射することにより情報信号を再生する再生装置に搭載される半導体レーザを駆動するための半導体レーザ駆動装置において、判別した光記録媒体の種類に応じて、半導体レーザを駆動するための駆動信号に重畳する高周波信号の振幅を切り換える半導体レーザ駆動装置及び方法を発明した。
【００１７】
即ち、本発明を適用した半導体レーザ駆動装置は、レーザ光を光記録媒体へ照射することにより情報信号を再生する再生装置に搭載される半導体レーザを駆動するための半導体レーザ駆動装置において、上記光記録媒体の種類を判別する判別手段と、上記半導体レーザを駆動する駆動信号に対して高周波信号を重畳する信号重畳手段を備え、上記信号重畳手段は、上記判別手段より判別された上記光記録媒体の種類に応じて、上記重畳する高周波信号の振幅を切り換える。
【００１８】
また、本発明を適用した半導体レーザ駆動方法は、レーザ光を光記録媒体へ照射することにより情報信号を再生する再生装置に搭載される半導体レーザを駆動するための半導体レーザ駆動方法において、上記光記録媒体の種類を判別する判別ステップと、上記半導体レーザを駆動する駆動信号に対して高周波信号を重畳する信号重畳ステップとを有し、上記信号重畳ステップでは、上記判別ステップにおいて判別された上記光記録媒体の種類に応じて、上記重畳する高周波信号の振幅を切り換える。
【００１９】
本発明者は、上述した問題点を解決するために、レーザ光を光記録媒体へ照射することにより情報信号を再生する再生装置において、判別した光記録媒体の種類に応じて、半導体レーザを駆動するための駆動信号に重畳する高周波信号の振幅を切り換える再生装置及び方法を発明した。
【００２０】
即ち、本発明を適用した再生装置は、レーザ光を光記録媒体へ照射することにより情報信号を再生する再生装置において、上記レーザ光を出射する半導体レーザと、上記光記録媒体の種類を判別する判別手段と、上記半導体レーザを駆動する駆動信号に対して高周波信号を重畳する信号重畳手段を備え、上記信号重畳手段は、上記判別手段より判別された上記光記録媒体の種類に応じて、上記重畳する高周波信号の振幅を切り換える。
【００２１】
また、本発明を適用した再生方法は、半導体レーザから出射されたレーザ光を光記録媒体へ照射することにより情報信号を再生する再生方法において、上記光記録媒体の種類を判別する判別ステップと、上記半導体レーザを駆動する駆動信号に対して高周波信号を重畳する信号重畳ステップとを有し、上記信号重畳ステップでは、上記判別ステップにおいて判別された上記光記録媒体の種類に応じて、上記重畳する高周波信号の振幅を切り換える。
【００２２】
【発明の実施の形態】
以下、本発明の実施の形態について図面を参照しながら詳細に説明する。
【００２３】
本発明に係る半導体レーザ駆動装置を搭載した再生装置の構成例を図１に示す。この図１に示す再生装置１は、ＤＶＤ−ＲＯＭ（ＤＶＤ−  Ｒｅａｄ  Ｏｎｌｙ  Ｍｅｍｏｒｙ）、ＤＶＤ±Ｒ（ＤＶＤ−Ｒｅｃｏｒｄａｂｌｅ）又はＤＶＤ±ＲＷ（ＤＶＤ−Ｒｅｗｒｉｔａｂｌｅ）等のように、複数種の光ディスクに対応した再生装置であって、光ディスク２の情報記録面２ａ上にレーザ光を照射するとともに、光ディスク２からの戻り光を検出する光学ヘッド４と、光学ヘッド４により検出された戻り光に基づいて、再生信号を生成する再生信号処理部５と、光ディスク２の種類を判別するディスク判別部６と、再生信号処理部５並びにディスク判別部６に接続され、各構成要素を制御するためのシステム制御部７と、上記システム制御部７からの制御に基づいて光学ヘッド４から出射するレーザ光に重畳する高周波信号の詳細を決定するための高周波重畳制御部８と、光学ヘッド４に搭載された半導体レーザを駆動するレーザダイオードドライバ（ＬＤＤ）９とを備えている。
【００２４】
光学ヘッド４は、回転駆動される光ディスク２の情報記録面２ａ上にレーザ光を照射し、光ディスク２の情報記録面２ａにて反射した戻り光を検出して再生信号処理部５へ出力する。この際、光学ヘッド４は、回転駆動される光ディスク２の種類によって、その光ディスク２に最適な波長の光ビームを出射する。
【００２５】
再生信号処理部５は、光学ヘッド４により検出された戻り光に基づいて得られる再生信号を復調し、誤り訂正する。この再生信号処理部５により復調された、誤り訂正された再生信号は、コンピュータのデータストレージ用であれば、図示しないインターフェースを介して外部コンピュータ等に送出される。また、この再生信号は、オーディオ・ビジュアル用であれば、デジタル／アナログ変換され、オーディオ・ビジュアル機器に送出される。
【００２６】
また、この再生信号処理部５は、光学ヘッド４より検出された戻り光に基づいて得られる制御信号を復調し、これをシステム制御部７へ出力する。
【００２７】
ディスク判別部６は、現在において再生装置１に装着されている光ディスク２が、例えばＤＶＤ−ＲＯＭ、ＤＶＤ±Ｒ、又はＤＶＤ±ＲＷの何れに該当するか判別する。このディスク判別部６は、この光ディスク２の種類につき、例えば光ディスク２に記録されているディスク情報を読み取ることにより判別し、或いは光学ヘッド４により検出された戻り光量を読み取ることにより判別する。また、このディスク判別部６は、各光ディスク２の種類や反射率に応じて光ディスク２のカートリッジ形状を予め異ならせておくことにより、その形状を機械的に判別するようにしてもよい。ディスク判別部６は、この判別した光ディスク１の種類をシステム制御部７へ通知する。
【００２８】
システム制御部７は、再生信号処理部５から出力される各種制御信号に基づいてフォーカスエラー信号及びトラッキングエラー信号を生成し、これを図示しない２軸アクチュエータへ送出する。これにより、このシステム制御部７による制御の下、光学ヘッド４の備える対物レンズを光ディスク２に近接離間する方向及び光ディスク２の径方向の２軸方向へ移動操作することにより、フォーカシング制御及びトラッキング制御が実現されることになる。
【００２９】
またシステム制御部７は、ディスク判別部６から通知された光ディスク２の種類を識別した上で、ディスク種別情報を生成し、これを高周波重畳制御部８へ送信する。
【００３０】
高周波重畳制御部８は、システム制御部７から送信されたディスク種別情報に基づいて、ＬＤＤ９において重畳する高周波信号の振幅を切り換えるための切換制御信号を生成し、これをＬＤＤ９へ送信する。
【００３１】
ＬＤＤ９は、光学ヘッド４に搭載された半導体レーザを駆動するための駆動信号を生成し、これを当該光学ヘッド４へ送信する。ＬＤＤ９は、例えば再生装置１において高倍速再生を実現する場合等には、システム制御部７による制御の下、高強度のレーザ光を出射するための駆動信号を生成する。またこのＬＤＤ９は、高周波重畳制御部８から送信される切換制御信号に基づいて高周波信号を生成し、これを上記駆動信号に重畳する。即ち、このＬＤＤ９は、光ディスク２の種類に応じて高周波重畳制御部８にて生成された切換制御信号に基づいて、重畳する高周波信号の振幅を切り換えることができる。この高周波信号が重畳された駆動信号を、光学ヘッド４における半導体レーザに注入する駆動電流とすることにより、光ディスク２へ照射するためのレーザ光が出射されることになる。なお、このＬＤＤ９において、高周波信号を重畳するための構成については、後に詳述する。
【００３２】
次に、本発明を適用した光学ヘッド４について更に詳しく説明する。
【００３３】
この光学ヘッド４は、半導体レーザ７１を支持するホルダ４３と、この半導体レーザ７１から出射されたレーザ光を複数に分割するグレーティング４４と、このグレーティング４４を通過したレーザ光の光路中に配されたビームスプリッタ４５と、このビームスプリッタ４５を反射したレーザ光の光路中に配された１／４波長板４６と、この１／４波長板４６を通過したレーザ光を反射して光ディスク２側へ導くミラー４７と、ミラー４７を反射したレーザ光を平行光とするコリメータレンズ４８と、このコリメータレンズ４８により平行光とされたレーザ光を光ディスク２の情報記録面２ａ上に集光する対物レンズ４９と、光ディスク２の情報記録面２ａから反射して戻ってきた戻り光を集光させるシリンドリカルレンズ５１と、このシリンドリカルレンズ５１を通過したレーザ光を受光する第１の受光素子５２と、半導体レーザ７１から出射されたレーザ光の強度を測定するための第２の受光素子５３とを備えている。
【００３４】
ホルダ４３には、所定の波長からなるレーザ光を出射する半導体レーザ７１が取り付けられている。この半導体レーザ７１は、半導体の再結合発光を利用した発光素子であり、光ディスク２がＤＶＤである場合に、この光ディスク２に対応した波長約６５０ｎｍのレーザ光を出射するように制御される。この半導体レーザ７１は、レーザ光の出力が一定になるようにＬＤＤ９により制御された上で、供給される駆動信号に基づくレーザ光を出射する。
【００３５】
グレーティング４４は、回折格子であり、半導体レーザ７１から出射されたレーザ光を回折して、０次光及び±１次光の３光束を含む複数の光束に分割する。このグレーティング４４により分割されたレーザ光は、ビームスプリッタ４５へ入射する。
【００３６】
ビームスプリッタ４５は、半導体レーザ７１から出射されたレーザ光におけるＳ偏光成分とＰ偏光成分のうち、例えばＳ偏光成分を全反射させて１／４波長板４６へ導くとともに、Ｐ偏光成分を所定の割合で反射または透過させて第２の受光素子５３へと導く。また、このビームスプリッタ４５は、光ディスク２から反射してくる戻り光を透過させて第１の受光素子５２へと導く。ちなみに、このビームスプリッタ４５は、偏光ビームスプリッタとして構成されていてもよいし、また無偏光ビームスプリッタとして構成されていてもよい。
【００３７】
１／４波長板４６は、通過するレーザ光にπ／２の位相差を与えるものである。半導体レーザ７１から出射された直線偏光のレーザ光は、１／４波長板４６を通過して円偏光となる。また光ディスク２を反射してくる円偏光のレーザ光は、この１／４波長板４６を通過した場合に、直線偏光となる。
【００３８】
ミラー４７は、ビームスプリッタ４４を透過したレーザ光を反射されることにより光路を折り曲げる。これにより、レーザ光は、光学ヘッド４の上方に位置する光ディスク２の情報記録面２ａに対して略垂直に照射されることになる。
【００３９】
コリメータレンズ４８は、ミラー４７により反射された発散光であるレーザ光を平行光にして、これを対物レンズ４９へ出射する。またこのコリメータレンズ４８は、ディスク２を反射してくる平行光としてのレーザ光を収束光にして、これにつきミラー４７を介して１／４波長板４６へ出射する。
【００４０】
対物レンズ４９は、コリメータレンズ４８を透過したレーザ光の光路中に配設されており、このレーザ光を集光して光ディスク２の情報記録面２ａ上に照射させる機能を有する。この対物レンズ４９は、図示しない２軸アクチュエータによって、光ディスク２に近接離間する方向及び光ディスク２の径方向に移動可能に支持されている。そして、この対物レンズ４９は、光ディスク２からの戻り光により生成されたフォーカスエラー信号及びトラッキングエラー信号に基づいて、２軸アクチュエータにより移動動作されることになる。これにより、フォーカシング制御及びトラッキング制御が実行されることになる。
【００４１】
光ディスク２の信号記録面２ａから反射して戻ってくる戻り光は、コリメータレンズ４８を通過することにより収束光とされ、１／４波長板４６を通過することにより直線偏光とされ、そのままビームスプリッタ４５を通過する。そして、ビームスプリッタ４５を透過した戻り光は、シリンドリカルレンズ５１によりビームスポットの大きさにつき制御された上で第１の受光素子５２へ入射する。
【００４２】
第１の受光素子５２は、かかる戻り光を受光して光電変換することにより再生信号を生成し、これを再生信号処理部５へ送信する。またこの第１の受光素子５２は、シリンドリカルレンズ５１により非点収差を発生させられたレーザ光を受光して光電変換し、非点収差法によるフォーカスエラー信号を生成して、これを上記制御信号として再生信号処理部５に供給する。更にこの第１の受光素子５２は、グレーティング４４により分割された０次光及び±１次光の３光束から３ビーム法によるトラッキングエラー信号を生成して、これを上記制御信号として再生信号処理部５に供給する。
【００４３】
第２の受光素子５３は、半導体レーザ７１から出射され、そのままビームスプリッタ４５を透過したレーザ光を受光して光電変換して電気信号を生成する。この生成された電気信号についてもシステム制御部７へ転送されることにより、半導体レーザ７１から出射されるレーザ光の強度を識別することが可能となる。
【００４４】
このような構成からなる再生装置１では、半導体レーザから出射するレーザ光に高周波成分を重畳するいわゆる高周波重畳法を用いることにより、半導体レーザ７１において光ディスク２からの戻り光に基づく戻り光ノイズが生じてもこれを低減することにより、再生精度の向上を図ることが可能となる。特に上述したビームスプリッタ４５として、無偏光ビームスプリッタを用いる場合には、半導体レーザ７１への戻り光も大きくなり、ひいては戻り光ノイズも大きくなるが、かかる場合であっても高周波重畳法を用いることによりこれを低減させることが可能となる。
【００４５】
特にこの再生装置１では、光ディスク２の種類に応じて、重畳する高周波信号の振幅を変えることができる。
【００４６】
例えば、ＤＶＤ±ＲＷ再生時において、戻り光ノイズを抑えるために重畳した高周波信号の振幅があまりに大きいと、情報記録面２ａに照射されるレーザ光の強度が、消去時に要求されるレーザ光の強度を超えてしまう。その結果、光記録媒体から情報を再生すると同時に当該情報が消去されてしまう。これを防止するために、ディスク判別部６において、光ディスク２がＤＶＤ±ＲＷであると判別された場合には、かかる場合にも重畳する高周波信号の振幅を低く設定することができる。
【００４７】
これに対して、一方、ＤＶＤ−ＲＯＭやＤＶＤ±Ｒは、ＤＶＤ±ＲＷと比較して一般に高反射率であり、照射されるレーザ光の戻り光が大きく、ひいては戻り光ノイズ自体も高くなる。このため、ディスク判別部６において、光ディスク２がＤＶＤ−ＲＯＭやＤＶＤ±Ｒであるものと判別された場合には、かかる場合のみレーザ光に重畳する高周波信号の振幅を高くすることにより、戻り光ノイズを低減させることができる。
【００４８】
即ち、本発明を適用した再生装置１では、ＤＶＤ±ＲＷ再生時と、ＤＶＤ−ＲＯＭ又はＤＶＤ±Ｒ再生時との間で、重畳する高周波信号の振幅を切り換えることができる。これにより、ＤＶＤ±ＲＷ再生時において、情報記録面２ａ上における情報の消去を防止しつつ、高反射率のＤＶＤ−ＲＯＭ又はＤＶＤ±Ｒにおける戻り光ノイズを効果的に低減させることができる。特にＤＶＤ−ＲＯＭ又はＤＶＤ±Ｒは、今後における再生装置自体の多岐にわたる機能が追加される結果、照射すべきレーザ光強度がより高くなる場合においても、本発明を適用した再生装置１では、ＤＶＤ±ＲＷにおける消去時に要求されるレーザ光の強度に捉われることなく、重畳する高周波信号の振幅を高く設定することが可能となる。
【００４９】
なお、本発明では、半導体レーザを駆動するための駆動信号に対する高周波信号の重畳につき、一つのＬＤＤ９により実現することができる。図２は、このＬＤＤ９において重畳する高周波信号を切り換えるための構成を示している。
【００５０】
この図２に示すように、ＬＤＤ９は、振幅の大きい高周波振幅電流を生成するための第１の高周波振幅電流生成部９１と、振幅の小さい高周波振幅電流を生成するための第２の高周波振幅電流生成部９２と、高周波重畳制御部８から供給される切換制御信号に基づいて切換信号を生成する切換信号生成部９３と、切換信号生成部９３から供給される切換信号に基づいて、第１の高周波振幅電流生成部９１から供給される高周波振幅電流、又は第２の高周波振幅電流生成部９２から供給される高周波振幅電流のうちいずれかを重畳する高周波信号として出力するスイッチ部９４とを備えている。
【００５１】
第１の高周波振幅電流生成部９１は、電流出力アンプ１０１にそれぞれ接続される電圧源１０２及び抵抗１０３を有する。電圧源１０２は、内部基準電圧Ｖ１を生成する。ここで、抵抗１０３より示される抵抗値をＲ１とすると、この電流出力アンプ１０１から出力される電流Ｉｍｏｄ１は、以下の式（１）で表される。
Ｉｍｏｄ１＝Ｖ１／Ｒ１・・・・・・・・・（１）
即ち、この第１の高周波振幅電流生成部９１では、抵抗１０３から出力される抵抗値Ｒ１に応じた電流Ｉｍｏｄ１を出力することが可能となる。このため、抵抗１０３における抵抗値Ｒ１により、電流Ｉｍｏｄ１をいわゆる高周波振幅電流として生成することが可能となる。なお、この第１の高周波振幅電流生成部９１では、抵抗値Ｒ１を低くすることにより、生成する電流Ｉｍｏｄ１の振幅を高くする。
【００５２】
第２の高周波振幅電流生成部９２は、電流出力アンプ１１１にそれぞれ接続される電圧源１１２及び抵抗１１３を有する。電圧源１１２は、内部基準電圧Ｖ２を生成する。ここで、抵抗１１３より示される抵抗値をＲ２とすると、この電流出力アンプ１１１から出力される電流Ｉｍｏｄ２は、以下の式で表される。
Ｉｍｏｄ２＝Ｖ２／Ｒ２・・・・・・・・・（２）
即ち、この第２の高周波振幅電流生成部９２では、抵抗１１３から出力される抵抗値Ｒ２に応じた電流Ｉｍｏｄ２を出力することが可能となる。このため、抵抗１１３における抵抗値Ｒ２により、電流Ｉｍｏｄ２をいわゆる高周波振幅電流として生成することが可能となる。なお、この第２の高周波振幅電流生成部９２では、抵抗値Ｒ２を高くすることにより、生成する電流Ｉｍｏｄ２の振幅を低くする。
【００５３】
このような電流Ｉｍｏｄ１，Ｉｍｏｄ２が供給されるスイッチ部９４は、切換信号生成部９３から供給される切換信号に基づいていずれか一方の電流を上記高周波信号の振幅（以下、高周波信号振幅という。）として、これを駆動信号に重畳する。
このスイッチ部９４は、それぞれエミッタ端子に電流Ｉｍｏｄ１が供給されるトランジスタＱ１、Ｑ２と、それぞれエミッタ端子に電流Ｉｍｏｄ２が供給されるトランジスタＱ３，Ｑ４を備えている。
【００５４】
トランジスタＱ１は、切換信号生成部９３からベース端子へ供給される第１の切換信号に基づいて、エミッタ端子へ供給された電流Ｉｍｏｄ１をコレクタ端子へ通過させる。トランジスタＱ２は、切換信号生成部９３からベース端子へ供給される第２の切換信号に基づいて、エミッタ端子へ供給された電流Ｉｍｏｄ１をコレクタ端子へ通過させる。トランジスタＱ３は、切換信号生成部９３からベース端子へ供給される第２の切換信号に基づいて、エミッタ端子へ供給された電流Ｉｍｏｄ２をコレクタ端子へ通過させる。トランジスタＱ４は、切換信号生成部９３からベース端子へ供給される第１の切換信号に基づいて、エミッタ端子へ供給された電流Ｉｍｏｄ２をコレクタ端子へ通過させる。即ち、このＬＤＤ９では、トランジスタＱ２，Ｑ４のコレクタ端子から出力される電流Ｉｍｏｄ１，Ｉｍｏｄ２の何れかを上記高周波信号振幅として、これを駆動信号に重畳する。
【００５５】
ここで、切換信号生成部９３は、高周波重畳制御部８から高周波信号の振幅を上げる旨の切換制御信号が送信された場合において、第１の切換信号をＬｏｗとすることにより、トランジスタＱ１，Ｑ４をオフとし、第２の切換信号をＨｉとすることにより、トランジスタＱ２，Ｑ３をオンとすることにより電流Ｉｍｏｄ１，Ｉｍｏｄ２を通過させる。これにより、トランジスタＱ２のコレクタ端子から出力される高振幅の電流Ｉｍｏｄ１を上記高周波信号とすることができる。
【００５６】
一方、切換信号生成部９３は、高周波重畳制御部８から高周波信号の振幅を下げる旨の切換制御信号が送信された場合において、第１の切換信号をＨｉとすることにより、トランジスタＱ１，Ｑ４をオンとして電流Ｉｍｏｄ１を高周波信号振幅として用い，Ｉｍｏｄ２を通過させ、第２の切換信号をＬｏｗとすることにより、トランジスタＱ２，Ｑ３をオフとする。これにより、トランジスタＱ４のコレクタ端子から出力される低振幅の電流Ｉｍｏｄ２を上記高周波信号振幅とすることができる。
【００５７】
このように、本発明を適用した再生装置１では、上述した構成からなるＬＤＤ９内部において高周波信号の振幅を切り換えて、これを駆動信号に重畳することができる。これにより、高周波信号の振幅を切り換えるための回路を別途設けることなく、ＬＤＤ９内でこれを実現することができるため、製造コストを大幅に削減することが可能となる。
【００５８】
なお、上述した実施の形態では、あくまでＤＶＤを再生するための再生装置１を例に挙げて説明をしたが、かかる場合に限定されるものではなく、ＤＶＤ以外の光ディスクを再生する場合であっても、判別した光ディスクの種類に応じて、高周波信号の振幅を切り換えるようにしてもよい。これにより、各光ディスクにつき、戻り光ノイズを効率的に低減させることが可能となる。
【００５９】
また、本発明は、再生装置１に適用される場合に限定されるものではなく、例えば再生装置１に搭載される半導体レーザを駆動するための半導体レーザ駆動装置に適用してもよいことは勿論である。かかる場合において半導体レーザ駆動装置は、上述したディスク判別部６、システム制御部７、高周波重畳制御部８、ＬＤＤ９により構成されることになる。
【００６０】
【発明の効果】
以上詳細に説明したように、本発明を適用した半導体レーザ駆動装置及び方法は、レーザ光を光記録媒体へ照射することにより情報信号を再生する再生装置に搭載される半導体レーザを駆動するための半導体レーザ駆動装置において、判別した光記録媒体の種類に応じて、半導体レーザを駆動するための駆動信号に重畳する高周波信号の振幅を切り換える。これにより、各光記録媒体につき、戻り光ノイズを効率的に低減させることが可能となる。
【００６１】
以上詳細に説明したように、本発明を適用した再生装置及び方法は、レーザ光を光記録媒体へ照射することにより情報信号を再生する再生装置及び方法において、判別した光記録媒体の種類に応じて、半導体レーザを駆動するための駆動信号に重畳する高周波信号の振幅を切り換える。これにより、各光記録媒体につき、戻り光ノイズを効率的に低減させつつ、有効な再生動作を実行することが可能となる。
【図面の簡単な説明】
【図１】本発明を適用した再生装置の構成を示す図である。
【図２】本発明を適用した再生装置に搭載されるＬＤＤの構成を示す図である。
【図３】ＤＶＤ±ＲＷの記録、再生、消去時において要求されるレーザ光の強度を示す図である。
【符号の説明】
１  再生装置、２  光ディスク、４  光学ヘッド、５  再生信号処理部、６  ディスク判別部、７システム制御部、８  高周波重畳制御部、９  ＬＤＤ、４３  ホルダ、４４  グレーティング、４５  ビームスプリッタ、４６  １／４波長板、４７  ミラー、４８  コリメータレンズ、４９  対物レンズ、５１  シリンドリカルレンズ、５２  第１の受光素子、５３  第２の受光素子、７１  半導体レーザ
【図１】
2004355723.tif 000003
【図２】
2004355723.tif 000004
【図３】
2004355723.tif 000005